(57)【要約】複数の基地局によってサービスを提供される移動局に対して伝送資源をスケジューリングするための方法が提供される。本発明の方法によれば、集中化されたスケジューラが、複数の基地局のそれぞれにサービスを提供するように機能するネットワーク・ノードで提供され、集中化されたスケジューラは、複数の基地局のうち少なくとも２つのそれぞれから移動局によって受信されたデータに関するフィードバック情報に応じて移動局への伝送資源のスケジューリングに優先順位を付けるように機能する。
2012527162.tif 000002
【特許請求の範囲】
【請求項１】
複数の基地局によってサービスを提供される移動局に対して伝送資源をスケジューリングする方法であって、
前記複数の基地局のそれぞれにサービスを提供するように機能するネットワーク・ノードで集中化されたスケジューラを機能させるステップと、
前記複数の基地局から前記移動局によって受信されたデータに関するフィードバック情報に応じて、前記移動局に対する伝送資源のスケジューリングを前記集中化されたスケジューラに優先順位付けさせるステップとを含む、方法。
【請求項２】
前記集中化されたスケジューラによる伝送資源のスケジューリングは、共通の伝送資源を使用して前記複数の基地局のそれぞれから前記移動局への同時伝送を可能にするように構成される、請求項１に記載の方法。
【請求項３】
前記移動局は、前記同時伝送を連続的に解読するために干渉除去を実装し、第２の受信した伝送を解読する前に第１の受信した伝送をキャンセルする、請求項２に記載の方法。
【請求項４】
前記移動局からのフィードバックは、前記移動局と前記複数の基地局の１つとの間にある選択されたＲＦリンクを介して提供され、そこから、バックホール・リンクを介して前記複数の基地局の１つから前記集中化されたスケジューラに提供される、請求項１に記載の方法。
【請求項５】
前記集中化されたスケジューラは、前記移動局が支持できるデータ転送速度（ＤＲＣ）に関する前記移動局からのフィードバックを受信し、前記受信したＤＲＣに応じて、前記複数の基地局に対するスケジュール優先度の測定基準を決定するように機能する、請求項１に記載の方法。
【請求項６】
複数の基地局によってサービスを提供される少なくとも２つの移動局に対する伝送資源をスケジューリングする方法であって、
前記複数の基地局の選択された１つにサービスを提供するように機能するネットワーク・ノードで１つまたは複数の集中化されたスケジューラを機能させるステップと、
前記複数の基地局の１つから前記移動局によって受信されたデータに関するフィードバック情報に応じて、前記集中化されたスケジューラに、前記複数の基地局の中、および前記少なくとも２つの移動局に伝送資源をスケジューリングさせるステップとを含む、方法。
【請求項７】
前記集中化されたスケジューラによる伝送資源のスケジューリングは、前記少なくとも２つの移動局の特定の１つに対する伝送に関して、共通の伝送資源を使用して前記複数の基地局の選択されたグループから前記移動局の１つに対する同時伝送を可能にするように構成される、請求項６に記載の方法。
【請求項８】
複数の基地局の上流に位置する集中化されたスケジューラであって、
移動局にサービスを提供するために前記複数の基地局の少なくとも２つから伝送資源をスケジューリングするように機能するスケジューリング手段と、
前記複数の基地局から前記移動局によって受信されたデータに関するフィードバック情報を受信し、前記受信したフィードバック情報に応じて、前記移動局のための伝送資源スケジューリングを決定するように機能する処理手段とを含む、集中化されたスケジューラ。
【請求項９】
前記スケジューリング手段は、共通の伝送資源を使用して前記少なくとも２つの基地局のそれぞれから前記移動局に対する同時伝送を可能にするようにさらに機能する、請求項８に記載の集中化されたスケジューラ。
【請求項１０】
前記処理手段は、前記移動局が支持できるデータ転送速度（ＤＲＣ）に関する前記移動局からのフィードバックを受信し、前記受信したＤＲＣに応じて、前記複数の基地局のスケジュール優先度の測定基準を決定するように機能する、請求項８に記載の集中化されたスケジューラ。
【発明の詳細な説明】
【技術分野】
【０００１】
本出願は、米国特許法１１９条（ｅ）項の下で、２００９年５月１１日に出願した米国仮出願第６１／２１６，００２号「ＳＹＳＴＥＭ  ＡＮＤ  ＭＥＴＨＯＤ  ＦＯＲ  ＣＥＬＬ−ＥＤＧＥ  ＰＥＲＦＯＲＭＡＮＣＥ  ＭＡＮＡＧＥＭＥＮＴ  ＩＮ  ＷＩＲＥＬＥＳＳ  ＳＹＳＴＥＭＳ（無線システムにおけるセルエッジ・パフォーマンス管理のためのシステムおよび方法）」の優先権を主張するものであり、その主題は参照により本明細書に完全に組み込まれる。
【０００２】
開示した発明は、本書と同時に出願され、同じ譲受人に譲渡され、参照によって本明細書に組み込まれている、米国特許出願第１２／４５５，２１５号「ＳＹＳＴＥＭ  ＡＮＤ  ＭＥＴＨＯＤ  ＦＯＲ  ＣＥＬＬ  ＥＤＧＥ  ＰＥＲＦＯＲＭＡＮＣＥ  ＭＡＮＡＧＥＭＥＮＴ  ＩＮ  ＷＩＲＥＬＥＳＳ  ＳＹＳＴＥＭＳ  ＵＳＩＮＧ  ＤＩＳＴＲＩＢＵＴＥＤ  ＳＣＨＥＤＵＬＩＮＧ（分散型スケジューリングを使用する無線システムにおけるセルエッジ・パフォーマンス管理のためのシステムおよび方法）」に関する。
【０００３】
本発明は、一般的に無線システムにおけるセルエッジでのパフォーマンス管理に関する。
【背景技術】
【０００４】
無線通信において、ユーザにサービスを提供する基地局から比較的遠くに位置するユーザは、一般的に近隣の基地局からの干渉および信号減衰の影響をより受けやすい。結果として、そのようなユーザは、比較的低い信号対干渉雑音比（ＳＩＮＲ）を経験する可能性があるため、一般に、基地局の近くに位置するユーザよりはるかに低いデータ転送速度を経験することになる。比較的離れた場所に位置するユーザは、「セルエッジ・ユーザ」または「不十分な配置」にあるユーザと呼ばれる。あるユーザが別のユーザより基地局から「より離れている」と言うとき、それが意味することは地理的な距離のみに依存しているのではなく、減衰および干渉に結びつく他の要因に対する感受性も意味していることを理解されたい。「ユーザ」および「移動局」という用語は、無線通信システムを使って通信信号を交換するために機能するモバイルのエンティティまたは装置を示すために、本明細書では一般的に区別なく使用されることに留意されたい。そのような言い換えができない場合は、文脈から明らかであろう。
【０００５】
本技術の無線パケット・データ・システム（たとえば、ＥＶ−ＤＯ（Ｅｖｏｌｕｔｉｏｎ−Ｄａｔａ  Ｏｐｔｉｍｉｚｅｄ）、ＨＳＰＡ（Ｈｉｇｈ  Ｓｐｅｅｄ  Ｐａｃｋｅｔ  Ａｃｃｅｓｓ）、またはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）無線プロトコル、および３ＧＰＰロング・ターム・エボリューション（ＬＴＥ）プロジェクトなど、近い将来の展開が計画されているものに従って実装されたシステム）は、基地局に配置されたスケジューラを使用して、伝送タイミングおよび形式（データ転送速度、変調および符号化レート、電力および周波数分配など）を決定し、モバイル・ユーザへのデータ伝送を行う。スケジューラは、移動局からのチャネル品質フィードバックに基づいて、これらのチャネルで好ましい品質状態を利用するように、ユーザに伝送することを試みる。さらに、これらのスケジューラは、各基地局からデータを受信しようとするすべてのユーザの競合する需要のバランスを保つために、たとえば、ユーザが経験するスループットおよび待ち時間を考慮した公平性基準を使用して、スケジューリング・アルゴリズムを実装している。
【０００６】
しかし、無線パケット・データ・システムに関連する重要なパフォーマンスの課題は、基地局サイトの近くにいるユーザが達成可能なデータ転送速度とセルエッジに位置する遠方のユーザが達成可能なデータ転送速度との大きな不均衡である。
【０００７】
ある程度まで、セルエッジのモバイル・ユーザが一般に経験する低いチャネル品質は、基地局で送信電力および帯域幅を増大することによって、および移動局への複数のデータ・ストリーム伝送および／またはビームフォーミングをサポートするために、基地局に複数のアンテナを追加することによって緩和される。それにもかかわらず、そのような信号品質向上を用いても、セルエッジのそれらの移動局は低いデータ転送速度に制限されており、より新しい、待ち時間が短く高いデータ転送速度の無線アプリケーションに求められるサービス品質を実現することができない。さらに、ここで説明する緩和手順は、セルエッジ・ユーザのスループットを向上させるのと同じ程度に、セル内でより良い位置にいるユーザのスループットも向上させる傾向があるため、セルエッジ・ユーザと他のユーザとの間のスループットの不均衡に関する問題は、大部分が対処がなされていない状態にある。
【発明の概要】
【課題を解決するための手段】
【０００８】
本発明の一実施形態は、複数の基地局によってサービスを受ける移動局に対して伝送資源をスケジューリングする方法を提供する。本発明の方法によれば、複数の基地局のそれぞれにサービスを提供するように機能する集中化されたスケジューラがネットワーク・ノードで提供され、集中化されたスケジューラは、複数の基地局のうち少なくとも２つのそれぞれから移動局によって受信されるデータに関するフィードバック情報に応じて、移動局への伝送資源のスケジューリングに優先順位を付けるように機能する。
【０００９】
本発明の教示は、添付の図面に併せて以下に示す詳細な記述を考慮することによって、容易に理解することができる。
【図面の簡単な説明】
【００１０】
【図１】本発明を実施することができる無線システムアーキテクチャを概略的に示す図である。
【図２】発明の構成要素を含めるために変更した図１の無線システムアーキテクチャを概略的に示す図である。
【発明を実施するための形態】
【００１１】
セルエッジのモバイル・ユーザが利用できる比較的低いチャネル品質は、一般的には、事実上、セルエッジのパフォーマンス向上のために全体的なセルのスループットをやりとりすることによって当技術分野で対処されてきた。基本的に、その手法では、スケジューラはセルエッジ・ユーザに、より多くのスケジューリングの機会を与えるため、セルエッジ・ユーザが利用できるデータ転送速度が向上する。あるいは、スケジューラは最小限のスループット要件を使用して、セルエッジ・ユーザのスケジューリング・インスタンスの数を増加させ、セルエッジのパフォーマンスを向上することができる。しかし、そのような規則はスケジューラの選択肢を制限し、そのために全面的なセルのスループットが低下する。
【００１２】
セルエッジ・スループットを増大する他の手法は、統合マルチポイント伝送（ｃｏｏｒｄｉｎａｔｅｄ  ｍｕｌｔｉ−ｐｏｉｎｔ  ｔｒａｎｓｍｉｓｓｉｏｎ）スキーム（ネットワークＭＩＭＯなど）の分類において実現され、事実上、移動局によって受信される伝送など、一貫性のある結合的な方法で複数の基地局アンテナからの伝送のためにデータ伝送を中央からスケジューリングする。しかし、そのようなスキームは非常に複雑であり、ネットワークにかなりの帯域幅および待ち時間の要件を負わせることになる。さらに、異なる基地局のアンテナ全体でタイミングおよび位相を厳密に同期させる必要がある上、移動局からかなりの量のチャネル状態フィードバックを必要とする。その結果、これらの解決策は、近い将来におけるセルラー・システムのダウンリンクには実現可能であるとは、一般的には考えられない。
【００１３】
発明者らは、セルエッジに位置する移動局のスループットを大きく改善しながら、同時に、全体的な基地局のスループットを増加させるシステムおよび方法を開発し、本明細書において開示する。したがって、本発明を用いると、セルエッジのパフォーマンスをセクタのスループットと引き替えにする必要はなく、セルエッジ・ユーザにサービスを提供するために本発明を応用することで、全体的なセクタのスループットを増大するのに役立つ。さらに、本発明のシステムおよび方法は、既知の統合マルチポイント・スキーム（ネットワークＭＩＭＯなど）の欠点を回避する。
【００１４】
本発明の実施形態を説明する前提として、通常、セルエッジ・ユーザは、複数の基地局からデータを受信する可能性があるゾーン（一般にハンドオフ・ゾーン（ｈａｎｄｏｆｆ  ｚｏｎｅ）と呼ばれる）に位置することに留意されたい。これらの基地局（およびそれらの関連するスケジューラ）はそれぞれ、これらの移動局への伝送をスケジューリングできるが、非協調的な方法でのみ実行できる。したがって、所与の無線セル／セクタにおける基本的なサービス配置では、基地局に近いユーザは、一般に１つの基地局によってスケジューリングされるが、ハンドオフ領域にいるユーザは、複数の基地局によってスケジューリングされる。ハンドオフ領域に位置し、複数の基地局からのデータを受信する移動局は、それぞれの基地局でスケジューリング決定を可能にするために、これらの基地局のそれぞれからのデータ伝送に関連するチャネル状態フィードバックを提供する必要がある。それに対応して、これらの移動局はダウンリンク制御チャネルを監視し、これらの基地局のそれぞれから制御信号を受信できる必要がある。
【００１５】
上記のようなハンドオフ領域のサービス構成の全体なアーキテクチャを図１に示している。図に示すように、無線アプリケーションに関連するデータ・ストリームは、集中型のコントローラー（無線ネットワーク制御装置、ＲＮＣとして図示）で解析され、２つの基地局ＢＳ１およびＢＳ２に向けて下流に提供される。これらの基地局はそれぞれ、ハンドオフ・ゾーンに位置するサービスを提供される移動局からチャネル状態フィードバックを受信する。各基地局のスケジューラは、（何よりも）チャネル状態フィードバックに応じて伝送をスケジューリングするように機能し、そのようなスケジューリングは、各基地局から独立してモバイル・ユーザに対して行われる。
【００１６】
しかしまた、そのようなシステムの利点は欠点でもある。セルエッジのユーザは、複数の基地局からの伝送から利益を得られるが、これらの基地局は独立して機能しているため、ユーザが利用できる伝送資源の公平性を効率的に制御することができず、典型的には、（サービスを提供される他の移動局にスケジューリングされる資源と比べて）ハンドオフ・ゾーンの移動局に、公平性を考慮すると適切であるはずの場合より、多めまたは少なめに伝送資源をスケジューリングする。したがって、たとえば、公平性を考慮したときより頻繁に移動局がサービスを提供される場合、これらの基地局の１つだけによってサービスを提供されるシステムの他の移動局にはペナルティーが課せられ、このためにスケジューリングの機会およびスループットを失うことになる。
【００１７】
さらに、複数の基地局からユーザに同時にデータをスケジューリングすることが有利である。というのは、複数の基地局にまたがって重ね合わせの原理（共通の周波数資源の効率的な再使用）を拡張することで、データ転送速度およびスループットを増大できるからである。この機能は、現在の技術における基地局から移動局への伝送システムには存在しない。
【００１８】
現在の技術の持つこれらの制限に対処するために、発明者らは、ユーザにサービスを提供する複数の基地局からモバイル・ユーザのために調整されたスケジューリングを提供する集中化されたスケジューリングのための方法を本明細書に開示する。加えて、本発明のスケジューリング方法は、複数の基地局での伝送の重ね合わせを可能にする。つまり、同じ周波数資源（同じＲＦキャリアなど）を使用する複数の基地局から移動局への同時のスケジューリング（および伝送）を可能にして、移動局での干渉除去に基づいて、より高い速度割り当てを達成し、さらに移動局のスループットを改善する。本発明の実施形態は図２に示されている。しかし、図および以下の記述は、２つの基地局によってサービスが提供される移動局の具体例に対処しているが、本発明の方法は、所与の基地局にサービスを提供する複数の基地局に対処することを意図している。移動局は、一般的にセルエッジまたはハンドオフ・ゾーンに位置するものと本明細書では述べられているが、本発明の方法は、移動局用のセルの特定の位置に関係なく、２つ以上の基地局によってサービスが提供される任意の移動局に適用可能であることにさらに留意されたい。
【００１９】
本発明の実施形態によれば、１つまたは複数の集中化されたスケジューラは、無線ネットワーク・コントローラー（ＲＮＣ）に配置され、それぞれが接触するセルのクラスタからのユーザ伝送を制御（スケジューリング）する。クラスタ・サイズは可変であり、２個〜３個のセルから、地理的な領域全体（数百個のセル）に及ぶことができる。後者の場合、好ましいのは、各ＲＮＣに１つの集中化されたスケジューラである。各セル・クラスタは接触しており、複数の基地局からの伝送から利益を得る少なくとも数人のユーザを１つのクラスタ内に含む（マルチストリーム伝送）。
【００２０】
本発明の例示的実施形態では、スケジューラのクラスタにおける各基地局に位置するパケット・フォーマッタによって、集中化されたスケジューラ（複数可）のスケジューリング決定が実装される。集中化されたスケジューラによって構成され、基地局まで通信される速度および期間割り当てに基づいて、パケット・フォーマッタは適切なコーディングおよび変調を介して物理層のパケットを形成する。
【００２１】
サービスを提供している基地局のそれぞれに関して、移動局からのチャネル・フィードバックは、サービスを提供する基地局の１つに最適なエアー・リンク（ａｉｒ−ｌｉｎｋ）を介して送信され、バックホール・リンク経由で集中化されたスケジューラに転送される。各基地局からの伝送の応答は、その基地局に送信される。次に、これらは集中化されたスケジューラにさらに中継される。
【００２２】
現在の技術では、移動局は、フォワード・リンク（ＦＬ）のチャネル品質の測定に基づいて、サービスを提供する１組の基地局を選択する。
【００２３】
集中化されたスケジューラは、次に、これらの測定基準に基づいて、およびクラスタ全体の観点からユーザに優先順位を付ける立場にある。したがって、集中化されたスケジューラは、どの基地局からユーザに伝送するかを決定するだけでなく、移動局への同時伝送のための基地局のすべての実現可能な組み合わせを評価するために機能する。
【００２４】
本発明の集中化されたスケジューラ手法は、一般的に、全体的なシステム・スループットだけでなく、セルエッジ・ユーザのスループットも増大させる。
【００２５】
本発明の集中化されたスケジューラの実施形態の機能は、以下においてＥＶＤＯパケット・データ・システムに関係して記述される。しかし、記述する手法は、任意のパケット・データ・システムのダウンリンクに適用できることを理解されたい。
【００２６】
各移動局は、サービスを提供できる可能性がある各基地局に、要求されたデータ転送速度（ＤＲＣ）を送信する。例となる移動局ｎおよび基地局ｍについて、ＤＲＣｎｍは、基地局ｍから要求されたこの移動局のデータ転送速度を表す。
【００２７】
比例的な公平性スケジューラは、ユーザの優先度を決定することにより機能する。所与のユーザｎを１つの基地局からのみスケジューリングできる場合（たとえばｍ番目の基地局）、
優先度ｎ＝ＤＲＣｎｍ／Ｒｎｍ
ここで、Ｒｎｍは、基地局ｍからユーザｎに送られるスループットである。
スケジューラに関するこの記述は例として提供するものであり、本発明の方法により実装されるスケジューラを限定するものとして解釈するべきでないことに留意されたい。ＣＲ−ＭＡＸなど、他のスケジューラも容易に使用することができる。
【００２８】
本発明の集中化されたスケジューラの場合、ユーザにサービスを提供できる複数の基地局があり、加えて、セルエッジまたはセルエッジの近くに位置するユーザについては、これらの複数の基地局の２つ以上からユーザに同時に伝送する可能性がある。したがって、追加的な優先度の測定基準をユーザ基地局の組み合わせごとに計算して評価する必要がある。集中化されたスケジューラに対する、そのような優先度に基づいた公平性スケジューリング手法は、本発明の他の実施形態として後に記述する。具体例として、ユーザｎにサービスを提供する立場にある２つの基地局ＢＳ１およびＢＳ２の集中化されたスケジューラによってスケジューリングすることを考えてみる。
【００２９】
決定される優先度の測定基準は、
Ｐｎ１＝ＤＲＣｎ１／Ｒｎ
Ｐｎ２＝ＤＲＣｎ２／Ｒｎ
Ｐｎ１２＝ＤＲＣｎ１２／Ｒｎ
ここで、Ｐｎ１およびＰｎ２はそれぞれ、基地局ＢＳ１およびＢＳ２でサービスを提供されるユーザｎの優先度の測定基準であり、Ｐｎ１２は、基地局ＢＳ１およびＢＳ２の両方から同時にサービスを提供されるユーザｎの優先度の測定基準であり、ＤＲＣｎ１およびＤＲＣｎ２はそれぞれ、基地局ＢＳ１およびＢＳ２からユーザｎによって要求されるデータ転送速度であり、ＤＲＣｎ１２は、基地局ＢＳ１およびＢＳ２の両方から同時伝送を受信する場合に、ユーザｎが支持できるデータ転送速度である。これらのＤＲＣは、移動局によって使用されるすべての受信機アルゴリズムの機能であり（連続干渉除去（Ｓｕｃｃｅｓｓｉｖｅ  Ｉｎｔｅｒｆｅｒｅｎｃｅ  Ｃａｎｃｅｌｌａｔｉｏｎ）を用いる、または用いないＭＭＳＥなど）、基地局に認識されている必要はない。さらに、Ｒｎは、ユーザｎがネットワークによってこれまでサービスを提供された速度である（図示した場合では、基地局ＢＳ１および基地局ＢＳ２の両方を介したサービス、つまり、Ｒｎ＝Ｒｎ１＋Ｒｎ２）。
【００３０】
以下により完全に記述するように、本発明の集中化されたスケジューラは、公平性の観点からクラスタ内のすべてのユーザのために、そのような測定基準を評価して、所与の伝送間隔中に、どのユーザに伝送するかとともに、各ユーザに対して適用される基地局の特定の組み合わせ、および伝送のデータ転送速度を決定する。
【００３１】
この方法による公平性のスケジューリングにより達成されることを示すために、代表的な集中化されたスケジューリング・アルゴリズムによる機能の場合を以下で考えてみる。この場合では、２つの基地局が、それらのサービス・エリア内で２人のユーザ（ｎ＝１または２）にサービスを提供していると想定する。各ユーザは、基地局の一方または両方によってスケジューリングすることができる。優先度の測定基準Ｐ１１、Ｐ１２、Ｐ１１２、およびＰ２１、Ｐ２２、Ｐ２１２が計算される。優先度の測定基準は実現可能性、つまりＰ１１＋Ｐ２２、Ｐ１２＋Ｐ２１、Ｐ１１２、およびＰ２１２によってグループ化され比較される。これらの４つの選択肢は、ユーザ１にサービスを提供するＢＳ１およびユーザ２にサービスを提供するＢＳ２、ユーザ１にサービスを提供するＢＳ２およびユーザ２にサービスを提供するＢＳ１、ユーザ１にサービスを提供するＢＳ１およびＢＳ２およびユーザ２にサービスを提供するＢＳ１および２に対応する。最大限に収集された測定基準によりスケジュール、つまり、どの組のユーザを伝送に選択するか、どの組の基地局から、およびどれくらいの速度、ということが決定される。ここに示した代表的なスケジューリング方法は、ｎ個の基地局からのｎ個の伝送まで拡張できること、および同じ資源のそれらｎ個の伝送の重ね合わせも構成できることは明らかであろう。
【００３２】
このスケジューリング方法において、所与のユーザＲｎに対してシステム全体でサービスが提供されるスループットを考慮すると、複数の基地局によってサービスを提供されるユーザと比較して、１つの基地局のみによってサービスを提供されるユーザに対するシステムの相対的な公平性が促進される。この理由は、サービスを提供する基地局のいずれか１つによって適切にサービスが提供されると、そのようなユーザの優先度が下がるためである。つまり、この場合では全体的なスループットが上昇し、ユーザがスケジューリングされていなかった基地局のスケジューラでもユーザの優先度の測定基準は小さくなる。
【００３３】
本発明の特徴、および本明細書で実装するスケジューリングの公平性手法では、複数の基地局によってサービスを提供されるユーザの全体的なデータ転送速度は、個々のリンク速度の合計（ＤＲＣｎ１＋ＤＲＣｎ２）より一般的に早く、ＤＲＣｎ１２項に反映され、速度は複数の基地局から単一のユーザに対する重ね合わせられた伝送の結果として得られる。具体的には、本発明のスケジューリング方法は、２つの基地局がユーザに同時に伝送すること、および移動局は伝送を連続的に解読するために干渉除去を使用して、第２の受信を解読する前に第１の受信をキャンセルすることを企図している。代数的には、これは次のように表現できる。
ＤＲＣｎ１２＝ＤＲＣｎ１＋ＤＲＣｎ２／１
ここで、ＤＲＣｎ２／１は、基地局ＢＳ１からの信号をキャンセルした場合に、移動局が報告したであろうＤＲＣであり、または同様に、基地局ＢＳ１からの妨害信号がない状態で送信されたであろうＤＲＣである。ＤＲＣｎ２／１は、ＤＲＣｎ２より常に大きいことに留意されたい。この理由は、ＤＲＣｎ２の干渉項はＢＳ１からの信号である一方、ＤＲＣｎ２／１には、そのような干渉項はない（またはかなり減衰されている）からである。
【００３４】
スケジューラは、移動局からの応答フィードバックを使用して、スケジューリングのたびにユーザに対してスケジューリングする基地局を考慮することが適切かどうかを決定する。
【００３５】
たとえば、基地局ＢＳ１から伝送に対して移動局によって否定応答が送信された場合、スケジューラは優先度の測定基準であるＰｒｉｏｒｉｔｙ＿ｎ１を考慮しない。つまり、失敗したパケットをユーザに再伝送するために、基地局ＢＳ１が代わりに必要なときに、その時刻に対して基地局ＢＳ１のスケジューリング・プールからユーザｎを取り出す。
【００３６】
他方、この基地局の伝送に対する肯定応答は、基地局が次のスケジューリング時にユーザのサーバーと見なされることを許可する。
【００３７】
サービスが提供されるスループットＲｎは、肯定応答およびこのユーザにサービスを提供する各基地局をまたがる特定の過去の伝送に、これらのＡＣＫを関連付けるスケジューラの能力に基づいて、集中化されたスケジューラで計算することができる。たとえば、時間ｔにおいて２．４Ｍｂｐｓの１スロット伝送を基地局がスケジューリングし、時間ｔ＋２において移動局からＡＣＫが受信された場合、集中化されたスケジューラは、４０９６ビット（１．６６ミリ秒／２．４５７６Ｍｂｐｓ）が、この基地局から移動局に正しく伝送されたと推測することができる。代案として、各基地局はスループットＲｎｍを計算し、定期的な間隔でスケジューラに送り返すことができる。
【００３８】
本明細書において、発明者らは、無線通信システムのセルエッジまたはセルエッジの近くに位置するユーザに、改善されたデータ・スループットを提供する方法およびシステムを開示している。本発明の多数の修正および代替の実施形態は、前述の記述を考慮すると当業者には自明であろう。
【００３９】
したがって、この記述は例としてのみ解釈するべきであり、本発明を実施する最良の方法を当業者に教えることを目的としており、そのすべての可能な形態を示すことを意図するものではない。また、使用する言葉は限定ではなく説明のための言葉であり、構造の詳細は、本発明の精神から外れることなく、実質的に変更することができ、添付の請求項の範囲に記載されているすべての変更の独占使用が保有されることも理解されるだろう。
【図１】
2012527162.tif 000003
【図２】
2012527162.tif 000004
【国際調査報告】
2012527162.tif 000005
2012527162.tif 000006